(57)【要約】      （修正有）【課題】適正圧力でマウスピースとリードを支持固定することにより、コントロール性が向上し演奏しやすくなるシングルリード楽器用リガチャーを提供する。【解決手段】金属、プラスチック、木材、樹脂、繊維等の材料で製作した帯状部材でマウスピース１とリード２の脱着を容易にし、帯状部材３の開口部分の両端にある複数の紐挿通用孔５と開口部背面にある紐固定用孔６を利用して紐でマウスピース１とリード２を密着させ、帯状部材３と同じまたは異なる部材で製作したくさび状部材４で適正圧力を調整する器具で、脱着や調整で利便性を維持した上で、紐のみで固定したような豊かな音色・音量と軽やかな吹奏感を得ることができるリガチャーである。【選択図】図１
0003193363.tif 000002
【実用新案登録請求の範囲】
【請求項１】
クラリネット、サキソフォン等のシングルリード楽器用のマウスピースとリードを支持固定するために、帯状部材でマウスピースとリード脱着を容易にし、帯状部材の開口部分の両端を紐で締めることでマウスピースとリードを密着させ、紐の間にくさび状部材を挿入することで前記紐の張力を高めマウスピースとリードの適正圧力を得ることを特徴とするリガチャー。
【請求項２】
請求項1記載のリガチャーにおいて、前記帯状部材に金属、プラスチック、木材、樹脂等の材料を用いて材料から発生する弾力性または剛性を利用し、マウスピースとリードを固定すると同時に脱着を容易にすることを特徴とするリガチャー。
【請求項３】
請求項1または2記載のリガチャーにおいて、前記帯状部材の開口部分の両端にある複数の紐挿通用孔と開口部背面にある紐固定用孔を利用し、皮革、布、樹脂、金属等の材料を用いた紐で締めることで、マウスピースとリードを密着することを特徴とするリガチャー。
【請求項４】
請求項1〜3のうちいずれか1項記載のリガチャーにおいて、締めた紐の間に帯状部材と同じ又は異なるくさび形部材を挿入し、紐の張力を変化させることでマウスピースとリードを密着し、適正圧力を発生させることを特徴とするリガチャー。
【請求項５】
請求項1〜4のうちいずれか1項記載のリガチャーにおいて、前記帯状部材の内部に空間構造をもつ又は空間構造をもたないことを特徴とするリガチャー。
【考案の詳細な説明】
【技術分野】
【０００１】
本考案はリガチャーに関し、特にシングルリード楽器用リガチャーに関するものである。
【背景技術】
【０００２】
シングルリード楽器でマウスピースとリードを固定する器具として、古くは紐を巻きつけて固定していた。
【０００３】
しかし、紐を巻き付ける方法は、脱着や調整で利便性に欠けるため、金属、プラスチック、木材、樹脂、繊維（例えば、特許文献1参照）等の材料で製作した帯状部材を1〜2本のネジで締めるリガチャーや、素材の弾力により固定するリガチャー（例えば、特許文献2参照）が、現在は広く普及している。
【０００４】
リガチャーは、帯状部材の材質・本数の違いを含むネジの有無・リードとの接触部分によって楽器の音色・音量・吹奏感に影響を与えることが、シングルリード楽器奏者には広く知られている。
【先行技術文献】
【特許文献】
【０００５】
【特許文献１】特開2009-300674号公報
【特許文献２】実用新案登録第3156919号公報
【考案の概要】
【考案が解決しようとする課題】
【０００６】
帯状部材を1〜2本のネジで締めリードを固定するリガチャーは、大きさおよび形状の違いからネジと帯状部材それぞれが楽器本体の発する音と共鳴し、部材同士で増幅や減殺することで、演奏者の意図しない音色・音量・吹奏感に影響を与えていると考えられる。このため、ネジで締めリードを固定するリガチャーを装着した場合は、紐のみで固定した場合と同等の音色・音量・吹奏感を得ることができない。
【０００７】
素材の弾力により固定するリガチャーを装着した場合は、単一部材であるため共鳴による影響は少なく、紐のみで固定した音色・音量・吹奏感に近い効果が得られると考えられる。しかし、製品毎に与える圧力が一定であるため、自然素材であるリードの個体差に起因する微調整や、演奏者の力量や音楽表現による適正圧力の変化への対応ができない。また、リガチャーの性質上、常に振動しているため、素材の弾力性は経年劣化の影響をうけやすく、製品の耐久性が低い。
【０００８】
本考案は前記課題に着目し、脱着や調整が容易で紐のみで調整したような、楽器本来がもつ豊かな音色や音量と軽やかな吹奏感を得ることができるリガチャーを提供することを目的としてなされたものである。
【課題を解決するための手段】
【０００９】
本考案に係るリガチャーは、脱着や調整で利便性を維持した上で、紐のみで固定した音色・音量・吹奏感を得るために、マウスピースとリードの脱着を容易にする帯状部材と、マウスピースとリードを密着する紐、および演奏者が好みの適正圧力をえるためのくさび状部材を用いるリガチャーである。
【考案の効果】
【００１０】
マウスピースとリードを固定するという効果を、マウスピースとリードの脱着を容易にする機能、マウスピースとリードを密着する機能、適正圧力を加える機能に分解し、それぞれの機能を構成する部材が共鳴しにくい構造にすることで、脱着や調整で利便性を維持した上で、紐のみで固定したような豊かな音色・音量と軽やかな吹奏感を得ることができる。
【００１１】
帯状部材は、脱着を容易とすることと紐を固定する目的が達成できる範囲で、様々な素材の適用や外観デザインの多様化が可能である。
【００１２】
リードとマウスピースの適正圧力は、紐の張力によって発生する。このため紐は他の部材に比べて、継続使用に伴う劣化が激しいことが考えられる。しかし紐は演奏者にて容易に調達・交換可能であり、製品の耐久性が高い。また、演奏者は独自に紐を選定することで、張力や素材の違いによる音色の変化を追求する楽しみが得られる。
【図面の簡単な説明】
【００１３】
【図１】本考案リガチャーの斜視図である。
【図２】a)は帯状部材の正面図、b)は上面図、c)はa−a’断面図、d)はb−b’断面図、e)は側面図、f)はc−c’断面図、g)はd−d’断面図である。
【図３】くさび状部材を示すもので、a)は側面図、b)は上面図である。
【図４】くさび状部材を組み込んだ状態を示すもので、a)は左側面図、b)は右側面図である。
【図５】本考案リガチャーをリードと共にマウスピースに取り付けた状態を示すもので、a)は開口部の正面図、b)が開口部の背面図である。
【考案を実施するための形態】
【００１４】
図1に示すとおり、帯状部材を用いることで、紐のみで固定するリガチャーに比べて脱着が容易である。また、紐のみで固定するためにマウスピースへのすべり止め加工が不要となるため、すべてのマウスピースに適用できる。
【００１５】
帯状部材は、マウスピースを包むような形状で一部開口部分をもつ。図2 a)に示すとおり、開口部分両端に紐挿通用孔をもち、1本の紐と帯状部材で構成した円筒形の口径を狭めることでマウスピースとリードを密着させる。圧力を発生させる紐は1本であるため開口部は一定圧力で均等に締まる。また図2 b)に示すとおり、開口部背面には紐固定用孔をもち、孔に紐を通過し縛ることで紐を容易に固定することができる。
【００１６】
帯状部材の紐挿通用孔は、左右対称に片側4箇所以上ある。図2 c)に示すとおり、紐挿通用孔の最上段および最下段は、マウスピース側に貫通し、図2 d)に示すとおり、残りの紐挿通用孔は開口部側に貫通する。この構造により、リガチャー装着時に開口部において、マウスピース・リードとリガチャーは縦2本の紐によって密着することとなり、均一な圧力を実現するとともに摩擦による左右のズレを防止する。また内径側の最上段と最下段の孔は上下の溝で結ばれているため、締め付けにより内径が狭まる場合や左右への力がかかっても、紐はズレにくい。
【００１７】
帯状部材の厚さは自由に選択できるが、開口部は紐挿通用孔の強度維持のため一定の厚みを確保する構造とする。図2 e)、図2 f) および図2 g)に示すとおり、強度を維持した上で内部に空間構造をもつこともでき、重量軽減を実現する。帯状部材は軽量であればあるほど共鳴する楽器への影響を少なくする効果が期待できる。
【００１８】
帯状部材の紐挿通用孔は、直径3mmとする。貫通する紐であれば、平紐・丸紐・角紐等の形状や、繊維・革・金属などの素材は自由に組み合わせることができる。これにより、様々な大きさのシングルリード楽器への適用だけでなく、曲目や演奏形態にあわせた選択や、技量・身体差などへの最適化など、演奏者の好みにあわせて工夫することができる。
【００１９】
リガチャーをマウスピースに装着し紐を固定した状態で、リードの微調整や更なる圧力を必要とする場合、開口部の紐の間に図3に示すくさび状部材を挿入することで、紐の張力を高めることができる。紐挿通用孔は前記のとおり開口部側に貫通しているため、くさび状部材を挿入してもマウスピース・リードと干渉しない。くさび状部材は紐の間に浮いた形となるため、紐がくさび状部材の振動を吸収し共鳴による音質の変化を最小限にすることができる。
【実施例】
【００２０】
以下、添付図面の図4および図5にしたがって実施例を説明する。1はマウスピース、2はリードである。3は本考案リガチャー帯状部材で1のマウスピースと2のリードを固定するもので、5の開口部紐挿通用孔に紐をとおし、余剰の紐を6の開口部背面紐固定用孔に結ぶことで格納する。
【００２１】
装着の際は、あらかじめ5の開口部紐挿通用孔に紐をとおし、余剰の紐を6の開口部背面紐固定用孔に結んだ3の本考案リガチャー帯状部材を、1のマウスピースと2のリードを調整した状態で、押し下げるだけで、2のリードを密着することができる。締め付けが足りない場合には、4の本考案リガチャーくさび状部材を、開口部に挿入して紐の張力を高め、2のリードに適切な圧力をかけることができる。外す際には、3の本考案リガチャー帯状部材を押し上げるだけで、2のリードを撤去することができる。
【００２２】
装着の方向は、図4 a）および図5 a)に示すとおり開口部側に2のリードを固定する方法と、図4 a）および図5 a)に示すとおり開口部背面側に2のリードを固定する方法の、両方が可能であり、演奏者の好みにより工夫することができる。
【符号の説明】
【００２３】
1.マウスピース  2.リード  3.本考案リガチャー帯状部材  4.本考案リガチャーくさび状部材  5.開口部紐挿通用孔  6. 開口部背面紐固定用孔  7. 開口部溝  8. 帯状部材内空間
【図１】
0003193363.tif 000003
【図２】
0003193363.tif 000004
【図３】
0003193363.tif 000005
【図４】
0003193363.tif 000006
【図５】
0003193363.tif 000007